(57)【要約】予約録画における録画先を自動で切り替えることができる録画機能付きデジタル放送受信機を提供する。他の録画機能を有する装置と接続する接続手段５と、予約録画において、自機の録画機能に優先的に予約録画する設定を受け付けるインタフェース手段１１と、前記インタフェース手段において自機の録画機能に優先的に録画する設定がなされている場合、予約録画を行う際、自機の録画機能が録画可能であるかどうかを判定し、録画可能である場合、自機の録画機能により録画を行い、録画可能でない場合、前記接続手段に接続された他の装置に予約録画を行わせるように制御する制御手段２１とを備える。
2011013468.tif 000002
【特許請求の範囲】
【請求項１】
録画機能を有するデジタル放送受信機であって、
他の録画機能を有する装置と接続する接続手段と、
予約録画において、自機の録画機能に優先的に予約録画する設定を受け付けるインタフェース手段と、
前記インタフェース手段において自機の録画機能に優先的に録画する設定がなされている場合、予約録画を行う際、自機の録画機能が録画可能であるかどうかを判定し、録画可能である場合、自機の録画機能により録画を行い、録画可能でない場合、前記接続手段に接続された他の装置に予約録画を行わせるように制御する制御手段とを備えることを特徴とするデジタル放送受信機。
【請求項２】
前記制御手段は、予約録画を行う際、自機の録画機能が記憶容量不足のために録画可能ではないと判定した場合、前記接続手段に接続された他の装置に予約録画を行わせると共に、自機の録画機能によっても予約録画を行うように制御することを特徴とする請求項１に記載のデジタル放送受信機。
【請求項３】
前記インタフェース手段は、さらに、常に自機の録画機能と前記他の装置の録画機能の両方において予約録画する設定を受け付け、
前記インタフェース手段において常に自機の録画機能と前記他の装置の録画機能の両方において予約録画する設定がなされている場合、前記制御手段は、予約録画を行う際、自機の録画機能により録画を行うと同時に、前記接続手段に接続された他の装置に録画を行わせるように制御することを特徴とする請求項１または２に記載のデジタル放送受信機。
【請求項４】
前記制御手段は、自機の録画機能が録画可能ではないと判定し、前記接続手段に接続された他の装置に録画を行わせるように制御した場合、その旨を知らせるメッセージを出力することを特徴とする請求項１乃至３のいずれか１項に記載のデジタル放送受信機。
【請求項５】
前記制御手段は、自機の録画機能が録画可能ではないと判定し、前記接続手段に接続された他の装置に録画を行わせるように制御し、前記他の装置による録画が失敗した場合、その旨を知らせるメッセージを出力することを特徴とする請求項４に記載のデジタル放送受信機。
【請求項６】
録画機能を有し、他の録画機能を有する装置と接続するデジタル放送受信機において予約録画を行う方法であって、
自機の録画機能においてのみ予約録画する設定か、自機の録画機能に優先的に予約録画する設定かを受け付けるステップと、
予約録画の開始時刻より所定の時間前に、自機の録画機能にのみ予約録画する設定であるかどうかを判定するステップと、
自機の録画機能においてのみ予約録画する設定であると判定した場合、自機の録画機能のみに予約録画を行うステップと、
自機の録画機能においてのみ予約録画する設定ではないと判定した場合、自機の録画機能において予約録画が可能かどうかを判定するステップと、
自機の録画機能において予約録画が可能であると判定した場合、自機の録画機能のみにおいて予約録画を行うステップと、
自機の録画機能において予約録画が不可能であると判定した場合、前記他の装置の録画機能のみにおいて予約録画を行うステップとを含むことを特徴とする方法。
【請求項７】
請求項６に記載の方法をコンピュータに実行させるためのプログラム。
【請求項８】
請求項７に記載のプログラムを格納したコンピュータ読み取り可能な記憶媒体。
【発明の詳細な説明】
【技術分野】
【０００１】
本発明は、録画機能付きデジタル放送受信機に関する。
【背景技術】
【０００２】
デジタル放送を録画したい需要を満すべく、デジタル放送の録画機器が登場して久しいが、デジタル放送受信機の高性能化に伴い、録画機能を本体に搭載したデジタル放送受信機も登場している。このため、録画機器と録画機能付きデジタル放送受信機とを併用して活用し、多様な録画需要の解決を図るユーザーの存在も無視できない数に達している。【０００３】
通常、番組の録画予約操作を行う場合、テレビでは外部の録画機器に入力を切り替えて行うことになるが、テレビ本体に録画機能を備えているのであれは、そちらを使う方が使い勝手としては良いため、優先的に選択されることになる。【０００４】
特許文献１には、外部接続された録画機器の機器情報を取得する取得手段と、録画機器に対して自己のデジタル放送受信機能を用いて番組を録画させるための録画情報を設定する設定手段と、録画機器に対して日時指定による録画情報の設定が要求された場合、機器情報に基づいて、設定要求された録画情報による録画が録画機器で可能か否かの判定を行なうことなく、録画機器に当該録画情報を設定させる制御手段とを備えることにより、外部接続された録画機器に対して予約録画を行なわせるための録画情報の管理を容易化して、汎用性の高い録画予約を実現することを可能とし、ユーザにとっての利便性を向上させるようにした録画制御装置及び録画制御方法が開示されている。
【先行技術文献】
【特許文献】
【０００５】
【特許文献１】特開２００８−６７３２７号公報
【発明の概要】
【発明が解決しようとする課題】
【０００６】
ところが、テレビ本体の録画機能にて、録画のための記憶容量不足に陥っている場合など、改めて外部の録画機器に対して録画予約登録を行うことは手間がかかることになる。また、バックアップの意味も含め、テレビ本体の録画機能と同時に外部の録画機器に対しても同一番組を録画したいとする需要も存在する。【０００７】
その際、録画予約登録の手順をそれぞれに対して行うことは煩雑であり、一度で済ませられると手間も省け、かつ操作ミスによる録画機会の損失も避けられることになる。【０００８】
本発明は、このような実情に鑑みてなされたものであり、予約録画における録画先を自動で切り替えることができる録画機能付きデジタル放送受信機を提供する。
【課題を解決するための手段】
【０００９】
本発明のデジタル放送受信機は、録画機能を有するデジタル放送受信機であって、他の録画機能を有する装置と接続する接続手段と、予約録画において、自機の録画機能に優先的に予約録画する設定を受け付けるインタフェース手段と、前記インタフェース手段において自機の録画機能に優先的に録画する設定がなされている場合、予約録画を行う際、自機の録画機能が録画可能であるかどうかを判定し、録画可能である場合、自機の録画機能により録画を行い、録画可能でない場合、前記接続手段に接続された他の装置に予約録画を行わせるように制御する制御手段とを備えることを特徴とする。【００１０】
前記制御手段は、予約録画を行う際、自機の録画機能が記憶容量不足のために録画可能ではないと判定した場合、前記接続手段に接続された他の装置に予約録画を行わせると共に、自機の録画機能によっても予約録画を行うように制御してもよい。【００１１】
前記インタフェース手段は、さらに、常に自機の録画機能と前記他の装置の録画機能の両方において予約録画する設定を受け付け、前記インタフェース手段において常に自機の録画機能と前記他の装置の録画機能の両方において予約録画する設定がなされている場合、前記制御手段は、予約録画を行う際、自機の録画機能により録画を行うと同時に、前記接続手段に接続された他の装置に録画を行わせるように制御してもよい。【００１２】
前記制御手段は、自機の録画機能が録画可能ではないと判定し、前記接続手段に接続された他の装置に録画を行わせるように制御した場合、その旨を知らせるメッセージを出力してもよい。【００１３】
前記制御手段は、自機の録画機能が録画可能ではないと判定し、前記接続手段に接続された他の装置に録画を行わせるように制御し、前記他の装置による録画が失敗した場合、その旨を知らせるメッセージを出力してもよい。
【発明の効果】
【００１４】
本発明によれば、予約録画における録画先を自動で切り替えることができる。
【図面の簡単な説明】
【００１５】
【図１】本発明の録画機能付きデジタル放送受信機の構成の一例を示すブロック図である。
【図２】デジタル液晶テレビジョン装置と接続されるハイブリッドレコーダの構成の一例を示すブロック図である。
【図３】デジタル液晶テレビジョン装置とハイブリッドレコーダとをＨＤＭＩケーブルによって接続した様子を示す図である。
【図４】デジタル液晶テレビジョン装置における予約設定画面の一例を示す図である。
【図５】本発明の録画機能付きデジタル放送受信機における予約録画時の動作の流れを説明するフローチャートである。
【図６】本発明を適用できる種々の構成を説明する図である。
【符号の説明】
【００１６】
１  アンテナ
３  デジタル放送受信部
５  ＨＤＭＩインタフェイス部
７  ＨＤＭＩ信号処理部
９  デコーダ
１１  リモコン受光部
１３  音声信号処理部
１５  スピーカ
１７  映像信号処理部
１９  ディスプレイ
２１  制御部
２３  記憶部
２５  電子番組表取得部
２７  ＢＤレコーダ部
４１  アンテナ
４３  デジタルチューナ
４５  ＨＤＭＩ信号処理部
４７  制御部
４９  リモコン受光部
５１  記憶部（ＨＤＤ）
５３  ＨＤＭＩインタフェイス部
５５  電子番組表取得部
５７  光ディスク駆動部
５９  操作部
【発明を実施するための形態】
【００１７】
以下、本発明の録画機能付きデジタル放送受信機の実施の形態について図面を参照して詳細に説明する。例として、本発明の録画機能付きデジタル放送受信機を、録画可能なＢＤドライブを搭載したデジタル液晶テレビジョン装置とし、他の録画機能を有する装置を、デジタル液晶テレビジョン装置とＨＤＭＩを介して接続される、録画可能なハードディスクドライブおよびＤＶＤドライブを搭載したハイブリッドレコーダとして説明する。
【００１８】
図１は、本発明の録画機能付きデジタル放送受信機の構成の一例を示すブロック図である。デジタル液晶テレビジョン装置である録画機能付きデジタル放送受信機は、アンテナ１と、デジタル放送のチューナを含むデジタル放送受信部３と、ＨＤＭＩインタフェイス部５と、ＨＤＭＩ信号処理部７と、デコーダ９と、リモコン受光部１１と、音声信号の処理を行う音声信号処理部１３と、処理後の音声信号に基づく音声を出力するスピーカ１５と、映像信号の処理を行う映像信号処理部１７と、処理後の映像信号に基づく映像を出力するディスプレイ１９と、これらの各機能ブロックについてバスラインを通して制御する制御部（ＣＰＵ）２１と、下記の処理を行うためのプログラムその他の情報を記憶する記憶部２３と、電子番組表取得部２５と、放送番組や外部入力信号の録画や再生を行うＢＤレコーダ部２７と、を備える。
【００１９】
図２は、図１のデジタル液晶テレビジョン装置と接続されるハイブリッドレコーダの構成の一例を示すブロック図である。ハイブリッドレコーダは、アンテナ４１と、デジタルチューナ４３と、ＨＤＭＩ信号処理部４５と、制御部４７と、リモコン受光部４９と、記憶部（ＨＤＤ）５１と、ＨＤＭＩインタフェイス部５３と、電子番組表取得部５５と、ＤＶＤなどの光ディスク駆動部５７と、操作部５９とを備える。
【００２０】
図３は、図１に示すデジタル液晶テレビジョン装置のＨＤＭＩインタフェイス部５と図２に示すハイブリッドレコーダのＨＤＭＩインタフェイス部５３とをＨＤＭＩケーブルによって接続した様子を示す図である。デジタル液晶テレビジョン装置とハイブリッドレコーダとの間において、映像信号、音声信号、および制御信号が双方向に流れる。機器間におけるＨＤＭＩケーブルを介した制御信号のやり取りに基づいて、機器間における制御処理を行うことができる。特に、デジタル液晶テレビジョン装置は、ハイブリッドレコーダを制御して放送番組の録画を行わせることができる。
【００２１】
本発明の録画機能付きデジタル放送受信機では、例えば、ＥＰＧにおいて録画予約を行うことができる。以下にその詳細について説明する。
【００２２】
図４は、デジタル液晶テレビジョン装置における予約設定画面の一例を示す図である。ＥＰＧ等において行った個々の録画予約について、図４に示すような録画予約の詳細を設定することができる。この詳細な設定は、例えば、録画画質の設定、録画日の設定、録画開始時刻の設定、録画終了時刻の設定、録画先の設定（例えば、自機の録画機能、接続された他の録画機能を有する外部装置）等を含む。
【００２３】
本願発明の特有の機能として、例えばこの詳細な設定において録画先自動切換えの設定を行うことができる。録画先自動切換えの設定において、「しない」、「自動」、「常時両方」のいずれかを選択することができる。
【００２４】
「しない」では、録画先自動切換えを行わず、録画先の設定通りに予約録画を実行する。
【００２５】
他の録画機能を有する装置が接続されておらず、自機の録画機能が１つしかない場合、「しない」以外の選択肢を選択できないようにすることが望ましい。
【００２６】
「常時両方」では、常に、設定された録画先と他の録画機器（例えば、自機の録画機能と、他の録画機能を有する装置）の両方において予約録画を実行する。
【００２７】
「自動」では、設定された録画先になんらかの問題があることを検知した場合、録画先を他の録画機器に自動的に切り換える（例えば、自機の録画機能から他の録画機能を有する装置に切り換える）。
【００２８】
「自動」に設定した場合、予約録画を開始する前（例えば１０秒前）に、制御部２１は、録画先に設定された録画機能（例えば、図１のＢＤレコーダ部２７）が録画可能な状態であるかどうかを判定する。例えば録画機能がＢＤドライブの場合、録画不可能と判定する条件としては、ディスクなし、ディスク読み込み中、再生専用ディスク、録画禁止ディスク、ディスク保護、ファイナライズ済み、ディスク異常、タイトルＭＡＸ、チャプタＭＡＸ、ディスクフル、初期化中、録画準備できていない、内部エラー、ＴＳ未入力等がある。
【００２９】
録画先に設定された録画機能が録画可能な状態であると判定した場合、設定された録画開始時間になったら録画先に設定された録画機能において予約録画を開始する。この際、予約録画の途中で録画先に設定された録画機能になんらかの異常が生じて録画が失敗した場合、他の録画機能による録画を行ってもよい。
【００３０】
録画先に設定された録画機能が録画不可能な状態であると判定した場合、録画先を他の録画機能（例えば、自機が内蔵するＨＤＤ、他の装置のＢＤドライブやＨＤＤ）に変更する。設定された録画開始時間になったら変更された録画先の録画機能において予約録画を開始する。この際、本来の録画先の録画機能が、録画可能ではあるが予約録画する番組を完全に録画するには容量不足であると判定されてる場合、本来の録画先の録画機能においてもできる限り予約録画を行うようにしてもよい。
【００３１】
「自動」に設定して録画先が切換えられた場合、その旨をユーザに知らせるメッセージを出力するようにしてもよい。例えば、「外部接続機器へ録画先を自動切換えしました。」というメッセージを出力してもよい。
【００３２】
また、「自動」に設定して録画先が切換えられ、その切換えられた録画先での録画が失敗した場合、その旨をユーザに知らせるメッセージを出力するようにしてもよい。例えば、「外部接続機器へ録画先を自動切換えしましたが、録画はできませんでした。」というメッセージを出力してもよい。この際、変更された録画先での録画失敗の理由についてのメッセージを併せて出力してもよい。例えば、「指定された外部接続機器が使えなかったため、録画先自動切換えに失敗しました。」、「外部接続機器で放送が録画できなかったため、録画先自動切換えに失敗しました。」、「外部接続機器で記録可能でなかったため、録画先自動切換えに失敗しました。」、「外部接続機器が再生中だったため、録画先自動切換えに失敗しました。」、「外部接続機器が別の録画を実行中だったため、録画先自動切換えに失敗しました。」、「外部接続機器で放送を受信できなかったため、録画先自動切換えに失敗しました。」、「外部接続機器が録画できない状態だったため、録画先自動切換えに失敗しました。」等のメッセージを出力してもよい。
【００３３】
また、これらのメッセージをレポートとして自機内部に保存し、後ほど表示できるようにしてもよい。
【００３４】
図５は、本発明の録画機能付きデジタル放送受信機における予約録画時の動作の流れを説明するフローチャートである。図５の例において、当初の録画先は、録画機能付きデジタル放送受信機自体が内蔵するＢＤレコーダ部２７（図１参照）とし、切換え可能な録画先は、ＨＤＭＩを介して接続された図２に示すハイブリッドレコーダのような外部接続機器であるとする。
【００３５】
ステップＳ１０１において、録画予約が始まる前、例えば１０秒前になると、制御部２１は、録画先自動切換えの設定が「しない」に設定されているかどうかを判定し、「しない」に設定されている場合はステップＳ１０２に進み、それ以外に設定されている場合はステップＳ１０３に進む。
【００３６】
ステップＳ１０２において、制御部２１は、ＢＤレコーダ部２７において予約録画を実行し、動作を終了する。
【００３７】
ステップＳ１０３において、制御部２１は、録画先自動切換えの設定が「常時両方」に設定されているかどうかを判定し、「常時両方」に設定されている場合はステップＳ１０４に進み、そうでない場合、すなわち「自動」に設定されている場合はステップＳ１０５に進む。
【００３８】
ステップＳ１０４において、制御部２１は、ＢＤレコーダ部２７において予約録画を実行すると共に、外部接続機器をＨＤＭＩを介して制御し、同じ予約録画を実行させ、動作を終了する。
【００３９】
ステップＳ１０５において、録画先自動切換えの設定は「自動」に設定されているので、制御部２１は、ＢＤレコーダ部２７が録画可能な状態かどうかを判定し、録画可能な場合はステップＳ１０６に進み、録画不可能な場合はステップＳ１０７に進む。
【００４０】
ステップＳ１０６において、制御部２１は、ＢＤレコーダ部２７において予約録画を実行し、動作を終了する。
【００４１】
ステップＳ１０７において、制御部２１は、ＢＤレコーダ部２７が録画不可能である理由が、予約録画のための容量不足のためなのかどうかを判定し、容量不足が原因である場合はステップＳ１０８に進み、他の原因である場合はステップＳ１０９に進む。
【００４２】
ステップＳ１０８において、制御部２１は、ＢＤレコーダ部２７において予約録画を実行すると共に、外部接続機器をＨＤＭＩを介して制御し、同じ予約録画を実行させ、動作を終了する。この場合、ＢＤレコーダ部２７における録画は途中で停止することになる。ステップＳ１０８においては、上述したように、録画先が切換えられた旨をユーザに知らせるメッセージを出力し、外部接続機器での録画が失敗した場合は、さらにその旨をユーザに知らせるメッセージを出力する。
【００４３】
ステップＳ１０９において、制御部２１は、外部接続機器をＨＤＭＩを介して制御し、予約録画を実行させ、動作を終了する。ステップＳ１０９においては、上述したように、録画先が切換えられた旨をユーザに知らせるメッセージを出力し、外部接続機器での録画が失敗した場合は、さらにその旨をユーザに知らせるメッセージを出力する。
【００４４】
以上説明したように、本発明の録画機能付きデジタル放送受信機では、自機の録画機能において予約録画ができない場合であっても、自動的に外部接続機器に予約録画を行わせるように設定したり、常に自機の録画機能と外部接続機器の両方に予約録画を行うように設定することができ、録画機会の損失をできる限り減らすことができる。
【００４５】
上記実施の形態において、主に、本発明の録画機能付きデジタル放送受信機としてはＢＤレコーダ部を有するデジタル液晶テレビジョン装置を例とし、切換え可能な録画先としてはＨＤＭＩを介して接続されるハイブリッドレコーダを例として説明してきたが、本発明はこのような構成に限定されない。本発明は、録画先が２つ以上あればどのような構成にも適用することができる。例えば、２つ以上の録画部（例えば、ＢＤレコーダ部とＨＤＤ）を有するデジタルテレビジョン装置やハイブリッドレコーダにおいて、ある録画部を録画先に設定し、他の録画部を録画先自動切換えで切換えられる録画先に設定してもよい。また、装置間の接続は、本発明の録画機能付きデジタル放送受信機から録画制御ができるならばＨＤＭＩ以外の接続形態であってもかまわない。録画制御としては、所定のチャンネルの録画開始および録画停止を行わせることができれば本発明は実現可能であるが、録画画質などの詳細な設定に関する制御を行わせるようにしてもよい。
【００４６】
図６は、本発明を適用できる種々の構成を説明する図である。本発明の録画機能付きデジタル放送受信機としては録画機能を有するデジタルテレビジョン装置が一般的であるが、ハイブリッドレコーダや、録画機能を有するＰＣ等、他の装置であってもかまわない。録画機能付きデジタル放送受信機に切換え可能な録画先として接続される装置は、ＨＤＭＩやｉＬＩＮＫ等によって接続される種々のレコーダや、携帯電話、家庭内ＬＡＮに接続されるＰＣやゲーム機やＮＡＳ、ＷＡＮに接続される録画機等が想定される。各々の装置において、デジタルテレビジョン装置の録画機能における予約録画に加えて、またはその代わりに予約録画を行わせることができる。また、各々の装置において、デジタルテレビジョン装置の録画機能における予約録画に加えて、またはその代わりに視聴予約を行わせることも可能である。さらに、予約録画される番組と同じ時間帯に他のチャンネルで放送されている番組や、予約録画される番組の他の時刻における放送を、自動的に他の装置に録画させるようにしてもよい。
【００４７】
さらに本発明では、有料放送の予約録画にも対応することができる。例えば、以下のような制御を行うことができる。制御部２１は、予約録画する番組が有料放送であるか無料放送であるかを判定し、有料放送である場合、契約されているかどうかを判定する。予約録画する番組が無料放送であるか、契約されている有料放送である場合、ＢＤレコーダ部２７において予約録画を行う。予約録画する番組が契約されていない有料放送である場合、ＢＤレコーダ部２７における予約録画は、契約が行われるまで待機し、外部接続機器において予約録画を行う。
【産業上の利用可能性】
【００４８】
本発明は、録画機能付きデジタル放送受信機に利用可能である。
【図１】
2011013468.tif 000003
【図２】
2011013468.tif 000004
【図３】
2011013468.tif 000005
【図４】
2011013468.tif 000006
【図５】
2011013468.tif 000007
【図６】
2011013468.tif 000008
【手続補正書】
【提出日】平成23年2月21日(2011.2.21)
【手続補正１】
【補正対象書類名】特許請求の範囲
【補正対象項目名】全文
【補正方法】変更
【補正の内容】
【特許請求の範囲】
【請求項１】
録画機能を有するデジタル放送受信機であって、
他の録画機能を有する装置と接続する接続手段と、
予約録画において、自機の録画機能に優先的に予約録画する設定を受け付けるインタフェース手段と、
前記インタフェース手段において自機の録画機能に優先的に録画する設定がなされている場合、予約録画を行う際、自機の録画機能が録画可能であるかどうかを判定し、録画可能である場合、自機の録画機能により録画を行い、録画可能でない場合、前記接続手段に接続された他の装置に予約録画を行わせるように制御する制御手段とを備え、
前記制御手段は、予約録画を行う際、自機の録画機能が記憶容量不足のために録画可能ではないと判定した場合、前記接続手段に接続された他の装置に予約録画を行わせると共に、自機の録画機能によっても予約録画を行うように制御することを特徴とするデジタル放送受信機。
【請求項２】
（削除）
【請求項３】
前記インタフェース手段は、さらに、常に自機の録画機能と前記他の装置の録画機能の両方において予約録画する設定を受け付け、
前記インタフェース手段において常に自機の録画機能と前記他の装置の録画機能の両方において予約録画する設定がなされている場合、前記制御手段は、予約録画を行う際、自機の録画機能により録画を行うと同時に、前記接続手段に接続された他の装置に録画を行わせるように制御することを特徴とする請求項１に記載のデジタル放送受信機。
【請求項４】
前記制御手段は、自機の録画機能が録画可能ではないと判定し、前記接続手段に接続された他の装置に録画を行わせるように制御した場合、その旨を知らせるメッセージを出力することを特徴とする請求項１又は３に記載のデジタル放送受信機。
【請求項５】
前記制御手段は、自機の録画機能が録画可能ではないと判定し、前記接続手段に接続された他の装置に録画を行わせるように制御し、前記他の装置による録画が失敗した場合、その旨を知らせるメッセージを出力することを特徴とする請求項４に記載のデジタル放送受信機。
【請求項６】
録画機能を有し、他の録画機能を有する装置と接続するデジタル放送受信機において予約録画を行う方法であって、
自機の録画機能においてのみ予約録画する設定か、自機の録画機能に優先的に予約録画する設定かを受け付けるステップと、
予約録画の開始時刻より所定の時間前に、自機の録画機能にのみ予約録画する設定であるかどうかを判定するステップと、
自機の録画機能においてのみ予約録画する設定であると判定した場合、自機の録画機能のみに予約録画を行うステップと、
自機の録画機能においてのみ予約録画する設定ではないと判定した場合、自機の録画機能において予約録画が可能かどうかを判定するステップと、
自機の録画機能において予約録画が可能であると判定した場合、自機の録画機能のみにおいて予約録画を行うステップと、
自機の録画機能において予約録画が不可能であると判定した場合、前記他の装置の録画機能に予約録画を行わせると共に、自機の録画機能によっても予約録画を行うステップとを含むことを特徴とを含むことを特徴とする方法。
【請求項７】
請求項６に記載の方法をコンピュータに実行させるためのプログラム。
【請求項８】
請求項７に記載のプログラムを格納したコンピュータ読み取り可能な記憶媒体。
【手続補正書】
【提出日】平成24年1月13日(2012.1.13)
【手続補正１】
【補正対象書類名】特許請求の範囲
【補正対象項目名】全文
【補正方法】変更
【補正の内容】
【特許請求の範囲】
【請求項１】
録画機能を有するデジタル放送受信機であって、
他の録画機能を有する装置と接続する接続手段と、
予約録画において、自機の録画機能に優先的に予約録画する設定を受け付けるインタフェース手段と、
前記インタフェース手段において自機の録画機能に優先的に録画する設定がなされている場合、予約録画を行う際、自機の録画機能が録画可能であるかどうかを判定し、録画可能である場合、自機の録画機能により録画を行い、録画可能でない場合、前記接続手段に接続された他の装置に予約録画を行わせるように制御する制御手段とを備え、
前記制御手段は、予約録画を行う際、自機の録画機能が記憶容量不足のために録画可能ではないと判定した場合、前記接続手段に接続された他の装置に予約録画を行わせると共に、自機の録画機能によっても予約録画を行うように制御することを特徴とするデジタル放送受信機。
【請求項２】
前記インタフェース手段は、さらに、常に自機の録画機能と前記他の装置の録画機能の両方において予約録画する設定を受け付け、
前記インタフェース手段において常に自機の録画機能と前記他の装置の録画機能の両方において予約録画する設定がなされている場合、前記制御手段は、予約録画を行う際、自機の録画機能により録画を行うと同時に、前記接続手段に接続された他の装置に録画を行わせるように制御することを特徴とする請求項１に記載のデジタル放送受信機。
【請求項３】
前記制御手段は、自機の録画機能が録画可能ではないと判定し、前記接続手段に接続された他の装置に録画を行わせるように制御した場合、その旨を知らせるメッセージを出力することを特徴とする請求項１又は２に記載のデジタル放送受信機。
【請求項４】
前記制御手段は、自機の録画機能が録画可能ではないと判定し、前記接続手段に接続された他の装置に録画を行わせるように制御し、前記他の装置による録画が失敗した場合、その旨を知らせるメッセージを出力することを特徴とする請求項３に記載のデジタル放送受信機。
【請求項５】
録画機能を有し、他の録画機能を有する装置と接続するデジタル放送受信機において予約録画を行う方法であって、
自機の録画機能においてのみ予約録画する設定か、自機の録画機能に優先的に予約録画する設定かを受け付けるステップと、
予約録画の開始時刻より所定の時間前に、自機の録画機能にのみ予約録画する設定であるかどうかを判定するステップと、
自機の録画機能においてのみ予約録画する設定であると判定した場合、自機の録画機能のみに予約録画を行うステップと、
自機の録画機能においてのみ予約録画する設定ではないと判定した場合、自機の録画機能において予約録画が可能かどうかを判定するステップと、
自機の録画機能において予約録画が可能であると判定した場合、自機の録画機能のみにおいて予約録画を行うステップと、
自機の録画機能において予約録画が不可能であると判定した場合、前記他の装置の録画機能に予約録画を行わせると共に、自機の録画機能によっても予約録画を行うステップとを含むことを特徴とする方法。
【請求項６】
請求項５に記載の方法をコンピュータに実行させるためのプログラム。
【請求項７】
請求項６に記載のプログラムを格納したコンピュータ読み取り可能な記憶媒体。
【国際調査報告】
2011013468.tif 000009
2011013468.tif 000010
2011013468.tif 000011
2011013468.tif 000012
2011013468.tif 000013
2011013468.tif 000014
2011013468.tif 000015